(57)【要約】【課題】シックハウス症候群の原因物質が床下から室内へ侵入することを抑制することができる床下換気システムを提供すること。【解決手段】実施形態の一態様に係る床下換気システムは、排気装置と、制御装置とを備える。排気装置は、家屋の床下の内部雰囲気を家屋の外部へ排気する。制御装置は、１日のうちで日中の所定時間帯を除く時間帯に、排気装置によって床下を室内に対して負圧とする第１の排気量で排気させ、日中の所定時間帯には、排気装置によって第１の排気量よりも大きな第２の排気量で排気させる。【選択図】図１
2014202396.tif 000002
【特許請求の範囲】
【請求項１】
家屋の床下の内部雰囲気を前記家屋の外部へ排気する排気装置と、
１日のうちで日中の所定時間帯を除く時間帯に、前記排気装置によって前記床下を室内に対して負圧とする第１の排気量で排気させ、前記日中の所定時間帯には、前記排気装置によって前記第１の排気量よりも大きな第２の排気量で排気させる制御装置と
を備えることを特徴とする床下換気システム。
【請求項２】
前記家屋の外部雰囲気の湿度を検出する湿度検出器
をさらに備え、
前記制御装置は、
前記日中の所定時間帯に前記湿度検出器によって検出される湿度が所定の湿度以上の場合に、前記排気装置によって前記第１の排気量で排気させる
ことを特徴とする請求項１に記載の床下換気システム。
【請求項３】
前記家屋の外部雰囲気の気温を検出する気温検出器
をさらに備え、
前記制御装置は、
前記気温検出器によって日中に検出される気温が所定の気温以上の場合、夜間の所定時間帯に前記排気装置による排気を停止させる
ことを特徴とする請求項１または請求項２に記載の床下換気システム。
【請求項４】
前記制御装置は、
前記気温検出器によって前記日中の所定時間帯を除く時間帯に検出される気温が前記所定の気温未満の時間帯に、前記排気装置による排気を停止させる
ことを特徴とする請求項３に記載の床下換気システム。
【請求項５】
前記制御装置は、
前記排気装置による排気の停止を間欠的に行わせる
ことを特徴とする請求項３または請求項４に記載の床下換気システム。
【請求項６】
前記制御装置は、
前記日中の所定時間帯に前記湿度検出器によって検出される湿度が前記所定の湿度以上から前記所定の湿度未満へ推移した後、該所定の湿度未満の状態が所定時間継続した場合に、前記排気装置の排気量を前記第１の排気量から前記第２の排気量へ変更する
ことを特徴とする請求項２〜５のいずれか一つに記載の床下換気システム。
【請求項７】
前記制御装置は、
前記排気装置による排気を所定周期で間欠的に行わせる
ことを特徴とする請求項１〜６のいずれか一つに記載の床下換気システム。
【請求項８】
前記制御装置は、
季節に応じて前記第１の排気量を変更する
ことを特徴とする請求項１〜７のいずれか一つに記載の床下換気システム。
【請求項９】
前記制御装置は、
予め設定される期間が経過する毎に、前記第１の排気量を段階的に低減させる
ことを特徴とする請求項１〜８のいずれか一つに記載の床下換気システム。
【発明の詳細な説明】
【技術分野】
【０００１】
開示の実施形態は、床下換気システムに関する。
【背景技術】
【０００２】
従来、家屋の床下に設けられる換気装置と、換気装置の運転制御を行う制御装置とを備え、制御装置によって日中に換気装置を運転させて床下を換気し、夜間に換気装置の運転を停止させる床下換気システムがある（例えば、特許文献１参照）。
【０００３】
かかる床下換気システムによれば、比較的乾燥した日中の外気を床下へ取り入れて床下の湿度を低下させることにより、シロアリ、ダニ等の害虫や木材腐朽菌の発生を抑制することができ、夜間には換気装置の運転を停止させるので節電が可能である。
【先行技術文献】
【特許文献】
【０００４】
【特許文献１】特開平１０−００２５８８号公報
【発明の概要】
【発明が解決しようとする課題】
【０００５】
しかしながら、現在室内に設置が義務付けられている２４時間換気装置が設けられる家屋では、夜間に床下の換気装置の運転を停止させると、室内が床下に対して負圧となり、床下の建材等から拡散するシックハウス症候群の原因物質が室内に流入する恐れがある。
【０００６】
実施形態の一態様は、上記に鑑みてなされたものであって、シックハウス症候群の原因物質が床下から室内へ流入することを抑制することができる床下換気システムを提供することを目的とする。
【課題を解決するための手段】
【０００７】
実施形態の一態様に係る床下換気システムは、排気装置と、制御装置とを備える。排気装置は、家屋の床下の内部雰囲気を前記家屋の外部へ排気する。制御装置は、１日のうちで日中の所定時間帯を除く時間帯に、前記排気装置によって前記床下を室内に対して負圧とする第１の排気量で排気させ、前記日中の所定時間帯には、前記排気装置によって前記第１の排気量よりも大きな第２の排気量で排気させる。
【発明の効果】
【０００８】
実施形態の一態様によれば、シックハウス症候群の原因物質が床下から室内へ流入することを抑制することができる。
【図面の簡単な説明】
【０００９】
【図１】図１は、実施形態に係る床下換気システムが設置された家屋を示す断面模式図である。
【図２】図２は、実施形態に係る床下換気システムの構成の一例を示すブロック図である。
【図３】図３は、実施形態に係る第１の運転モードにおける排気装置の動作状態の推移を示す説明図である。
【図４】図４は、実施形態に係る第１の運転モードにおける排気装置の動作状態の推移を示す説明図である。
【図５】図５は、実施形態に係る第１の運転モードで運転制御部が実行する処理を示すフローチャートである。
【図６】図６は、実施形態に係る第２の運転モードにおける排気装置の動作状態の推移を示す説明図である。
【図７】図７は、実施形態に係る第２の運転モードにおける排気装置の動作状態の推移を示す説明図である。
【図８】図８は、実施形態に係る第２の運転モードで運転制御部が実行する処理を示すフローチャートである。
【図９】図９は、実施形態の変形例１に係る第１の排気量の推移を示す説明図である。
【図１０】図１０は、実施形態の変形例２に係る第１の排気量の推移を示す説明図である。
【発明を実施するための形態】
【００１０】
以下、添付図面を参照して、本願の開示する床下換気システムの実施形態を詳細に説明する。なお、以下に示す実施形態によりこの発明が限定されるものではない。図１は、実施形態に係る床下換気システム１が設置された家屋２を示す断面模式図である。
【００１１】
図１に示すように、家屋２の室内３には、設置が義務付けられている２４時間換気装置４が設けられている。２４時間換気装置４は、例えば、室内３の壁面に設けられる換気扇であり、室内３と屋外とを連通する連通孔５から、図１に白抜き矢印で示すように、室内の空気を屋外へ排気する。かかる２４時間換気装置４は、２時間の継続運転で室内３を１回換気することができる排気量、つまり、毎時０．５回の排気量で室内３の空気を屋外へ排気する運転を２４時間継続して行う。
【００１２】
一方、床下換気システム１は、家屋２の床下６に設けられる排気装置７と、屋外の湿度および気温を検出するセンサ８と、センサ８の検出結果および各種設定に基づいて排気装置７の運転制御を行う制御装置９とを含む。
【００１３】
排気装置７は、図１に黒抜き矢印で示すように、床下６内部の湿気を含んだ空気を吸引し、床下６の内部と屋外とを連通する排気用の連通孔１１から屋外へ排気する。これに伴い、床下６と屋外とを連通する吸気用の連通孔１０から屋外の乾燥した空気が床下６へ吸気されて、床下６の湿度が低下する。
【００１４】
センサ８は、吸気用の連通孔１０を介して屋外から床下６の内部へ吸気される空気の気温および相対湿度を検出し、検出した気温および相対湿度に基づいて算出した絶対湿度を制御装置９へ出力する。
【００１５】
制御装置９は、床下換気システム１の施工業者またはユーザによって入力される各種設定と、センサ８から入力される屋外の気温や絶対湿度とに基づく制御信号を排気装置７へ出力して排気装置７の運転制御を行う。
【００１６】
ここで、床下６の換気および乾燥を目的とする場合、屋外の空気が比較的高温で乾燥する日中の所定時間帯に排気装置７を運転状態とするだけで十分である。ただし、日中の所定時間帯以外の時間帯に排気装置７を停止させた場合、室内３では、２４時間換気装置４が常時稼働しているため、室内３が床下６に対して負圧となる。
【００１７】
これにより、床下６の建材等から拡散するホルムアルデヒド等のシックハウス症候群の原因物質が、図１に点線矢印で示すように、床下６から室内３へ流入する恐れがあるという問題が生じる。
【００１８】
そこで、床下換気システム１の制御装置９は、１日のうちで、予め設定される日中の所定時間帯（以下、「日中設定時間帯」と記載する）を除く時間帯に、排気装置７によって床下６を室内３に対して負圧とする第１の排気量で排気させる。さらに、制御装置９は、日中設定時間帯に、排気装置７によって第１の排気量よりも大きな第２の排気量で排気させる。
【００１９】
ここでの排気量は、排気装置７が単位時間に床下６の内部から屋外へ排気する空気の容積である。例えば、前述したように、室内３に設けられる２４時間換気装置４の排気量が毎時０．５回である場合、排気装置７による第１の排気量は、床下６の内部を毎時５〜７回程度換気可能な排気量である。また、第２の排気量は、床下６の内部を毎時１０〜１５回程度換気可能な排気量である。
【００２０】
これにより、実施形態に係る床下換気システム１によれば、日中設定時間帯に、湿気を含んだ床下６内部の空気を第２の排気量で屋外へ排気し、比較的高温で乾燥した外気を床下６の内部へ取り込むことで、床下６の湿度を効果的に低下させることができる。
【００２１】
しかも、実施形態に係る床下換気システム１は、１日のうちで日中設定時間帯を除く時間帯に、第２の排気量よりも小さな第１の排気量で床下６内部の空気を屋外へ排気する。したがって、日中設定時間帯だけでなく、１日のうちで日中設定時間帯を除く時間帯にも、床下６が室内３に対して負圧となるので、シックハウス症候群の原因物質が床下６から室内３へ流入することを抑制することができる。
【００２２】
以下、かかる床下換気システム１の構成および動作の一例について、さらに具体的に説明する。図２は、実施形態に係る床下換気システム１の構成の一例を示すブロック図である。図２に示すように、床下換気システム１は、排気装置７と、センサ８と、制御装置９とを含む。
【００２３】
排気装置７は、例えば、内部に設けられるシロッコファンを回転駆動させることによって床下６の内部雰囲気を吸気し、吸気した床下６の内部雰囲気を排気ダクトを介して屋外へ排気するブロワである。かかる排気装置７は、制御装置９から入力される制御信号に従って、第１の排気量で排気を行う弱運転状態、第２の排気量で排気を行う強運転状態、または、停止状態となる。
【００２４】
センサ８は、気温検出器８１と湿度検出器８２とを備える。気温検出器８１は、吸気用の連通孔１０の近傍に設けられ、連通孔１０から吸気される外気の気温を検出し、検出した気温を湿度検出器８２および制御装置９へ出力する。湿度検出器８２は、外気の相対湿度を検出するとともに、検出した相対湿度と、気温検出器８１から入力される気温とに基づいて外気の絶対湿度を算出して制御装置９へ出力する。
【００２５】
具体的には、湿度検出器８２は、外気の相対湿度ＲＨ[％]を算出するとともに、外気の気温からその気温における飽和水蒸気圧Ｅを算出する。そして、湿度検出器８２は、次式（１）によって水蒸気圧Ｅｐを算出する。
Ｅｐ＝Ｅ×ＲＨ／１００・・・（１）
さらに、湿度検出器８２は、次式（２）によって絶対湿度（容積絶対湿度）ｅ[ｇ／ｍ３]を算出する。
ｅ＝２１７×Ｅｐ／Ｔ・・・（２）
ここで、Ｔは、外気の気温[Ｋ]であり、２１７は、気体の状態方程式から導かれる定数である。
そして、湿度検出器８２は、算出した外気の絶対湿度を制御装置９へ出力する。
【００２６】
制御装置９は、計時部９１と、設定入力部９２と、設定記憶部９３と、運転制御部９４とを備える。計時部９１は、現在時刻を運転制御部９４へ出力する。設定入力部９２は、排気装置７の日中設定時間帯や後述する運転モード等の設定操作を受け付け、受け付けた設定操作に応じた設定内容を設定記憶部９３へ出力する。
【００２７】
設定記憶部９３は、設定入力部９２から入力される設定内容を記憶する。なお、設定入力部９２は、必ずしも設ける必要はなく省略してもよい。設定入力部９２を省略する場合には、設定記憶部９３に予め各種の設定内容を記憶させておく。
【００２８】
運転制御部９４は、計時部９１から入力される現在時刻、設定記憶部９３によって記憶された設定内容、センサ８から入力される外気の絶対湿度や気温に基づく制御信号を排気装置７へ出力することによって排気装置７の運転制御を行うマイコンである。
【００２９】
運転制御部９４は、第１の運転モードが設定される場合、外気の絶対湿度および時間帯に応じて排気装置７の運転制御を行う。一方、第２の運転モードが設定される場合、運転制御部９４は、外気の絶対湿度および時間帯に加え、外気の気温に応じて排気装置７の運転制御を行う。以下、第１の運転モードおよび第２の運転モードにおける運転制御部９４の動作について説明する。
【００３０】
（第１の運転モード）
図３および図４は、実施形態に係る第１の運転モードにおける排気装置７の動作状態の推移を示す説明図である。なお、図３には、外気の絶対湿度（以下、単に「湿度」と記載する）が１日を通して所定の湿度閾値未満の場合を示しており、図４には、日中設定時間帯に外気の湿度が湿度閾値未満となることがある場合を示している。ここでの湿度閾値は、床下換気システム１の設置地域や設置環境に応じて、例えば、１５〜２５[ｇ／ｍ３]から適切な値が選択されて設定される。
【００３１】
第１の運転モードにおいて、運転制御部９４は、日中設定時間帯として、例えば、１０：００〜１５：００が設定される場合、日中設定時間帯に排気装置７を強運転状態とし、１日のうちで日中設定時間帯を除く時間帯に弱運転状態とする。
【００３２】
これにより、排気装置７は、図３に示すように、１日のうちで日中設定時間帯を除く００：００〜１０：００および１５：００〜２４：００の両時間帯に、床下６を室内３に対して負圧とする第１の排気量で排気を行う。また、排気装置７は、１０：００〜１５：００の日中設定時間帯に第１の排気量よりも大きな第２の排気量で排気を行う。
【００３３】
したがって、床下換気システム１によれば、外気が比較的高温で乾燥した状態となる１０：００〜１５：００に、湿気を含んだ床下６の内部雰囲気を屋外へ排気し、屋外の乾燥した空気を床下６へ吸気することで、床下６内部の換気および乾燥を行うことができる。また、かかる日中設定時間帯に、排気装置７は、床下６を室内３に対して負圧とする第１の排気量よりも大きな第２の排気量で排気を行うので、シックハウス症候群の原因物質が床下６から室内３へ流入することがない。
【００３４】
また、排気装置７は、１日のうちで日中設定時間帯を除く全時間帯に、床下６を室内３に対して負圧とする第１の排気量で継続的に床下６の内部雰囲気を排気する。したがって、床下換気システム１によれば、１日を通して、シックハウス症候群の原因物質が床下６から室内３へ流入することを抑制することができる。
【００３５】
しかも、排気装置７は、日中設定時間帯以外の時間帯に第２の排気量よりも小さな第１の排気量で排気を行うので、必要最小限の消費電力でシックハウス症候群の原因物質が床下６から室内３へ流入することを抑制することができる。
【００３６】
なお、ここでは、外気の湿度が１日を通して所定の湿度閾値未満の場合について説明したが、季節によっては、日中設定時間帯の中で外気の湿度が湿度閾値以上となる場合がある。かかる場合、運転制御部９４は、日中設定時間帯に、外気の湿度に応じて排気装置７の運転状態を制御する。
【００３７】
例えば、運転制御部９４は、図４に示すように、日中設定時間帯の開始時刻である１０：００の時点で、外気の湿度が湿度閾値以上であった場合、日中設定時間帯であっても排気装置７によって第１の排気量での排気を継続させる。その後、運転制御部９４は、時刻ｔ１で外気の湿度が湿度閾値未満まで低下した場合に、排気装置７の排気量を第１の排気量から第２の排気量へ増大させる運転制御を行う。
【００３８】
さらに、運転制御部９４は、排気装置７によって第２の排気量での排気を開始させた後、例えば、時刻ｔ２で外気の湿度が湿度閾値以上となった場合、たとえ日中設定時間帯であっても、排気装置７の排気量を第２の排気量から第１の排気量へ減少させる。そして、運転制御部９４は、時刻ｔ３で外気の湿度が再度湿度閾値未満となった場合、排気装置７の排気量を第１の排気量から第２の排気量へ増大させる。
【００３９】
かかる運転制御により、床下換気システム１では、日中設定時間帯に所定の湿度閾値以上となった外気が床下６の内部へ取り込まれることを抑制することができるので、床下６の換気により、かえって床下６の内部の湿度が上昇することを抑制することができる。
【００４０】
次に、図５を参照し、第１の運転モードで運転制御部９４が実行する処理について説明する。図５は、実施形態に係る第１の運転モードで運転制御部９４が実行する処理を示すフローチャートである。運転制御部９４は、第１の運転モードが設定される場合、電源がＯＮされてからＯＦＦされるまで、図５に示す処理を所定の周期で繰り返し実行する。
【００４１】
具体的は、運転制御部９４は、図５に示すように、まず、現在、日中設定時間帯であるか否かの判定を行う（ステップＳ１０１）。そして、運転制御部９４は、日中設定時間帯でないと判定した場合（ステップＳ１０１，Ｎｏ）、排気装置７に対して弱運転制御を行い（ステップＳ１０２）、処理を終了する。
【００４２】
一方、現在、日中設定時間帯であると判定した場合（ステップＳ１０１，Ｙｅｓ）、運転制御部９４は、外気の湿度が湿度閾値以上であるか否かの判定を行う（ステップＳ１０３）。そして、運転制御部９４は、湿度が湿度閾値以上であると判定した場合（ステップＳ１０３，Ｙｅｓ）、排気装置７に対して弱運転制御を行い（ステップＳ１０２）、処理を終了する。一方、湿度が湿度閾値未満であると判定した場合（ステップＳ１０３，Ｎｏ）、排気装置７に対して強運転制御を行い（ステップＳ１０４）、処理を終了する。
【００４３】
なお、ここでは、日中設定時間帯に、外気の湿度が湿度閾値以上から湿度閾値未満になった時点で、排気装置７の排気量を第１の排気量から第２に排気量へ変更したが、第２の排気量への切換に所定のタイムラグを持たせてもよい。
【００４４】
具体的には、日中設定時間帯に、外気の湿度が湿度閾値以上から湿度閾値未満となっても、その後、ごく短時間後に湿度が再度湿度閾値以上となることがある。かかる場合、外気の湿度が湿度閾値以上から湿度閾値未満になった時点で、排気装置７の排気量を第２の排気量へ変更すると、湿度が湿度閾値以上となった外気が床下６へ取り込まれる恐れがある。
【００４５】
このため、運転制御部９４は、日中設定時間帯に、外気の湿度が湿度閾値以上から湿度閾値未満へ推移した後、外気の湿度が湿度閾値未満となる状態が所定時間（例えば、５分間）継続した場合に、排気量を第１の排気量から第２の排気量へ変更してもよい。これにより、湿度が湿度閾値以上となった外気が大量に床下６へ取り込まれることを抑制することができる。
【００４６】
（第２の運転モード）
次に、第２の運転モードについて説明する。第２の運転モードを設定する場合、日中設定時間帯に加え、午前設定時間帯および夜間設定時間帯を設定する。ここでは、５：００〜１０：００を午前設定時間帯、１０：００〜１５：００を日中設定時間帯、２２：００〜５：００を夜間設定時間帯として設定した場合について説明する。また、ここでは、日中設定時間帯における外気の湿度が湿度閾値未満であるものとして説明する。
【００４７】
図６および図７は、実施形態に係る第２の運転モードにおける排気装置７の動作状態の推移を示す説明図である。なお、図６には、日中の外気の気温が所定の気温閾値以上（例えば、１０℃以上）の場合を示しており、図７には、日中の外気の気温が気温閾値未満の場合を示している。
【００４８】
床下６の建材等から拡散されるシックハウス症候群の原因物質の拡散量は、床下６における雰囲気の気温が高くなるほど多くなる傾向があり、気温が１０℃未満の状態では極微量となる。そこで、第２の運転モードにおいて、運転制御部９４は、日中設定時間帯に第１の運転制御と同様の制御を行い、日中設定時間帯以外の時間帯では、外気の気温に応じた制御を行う。
【００４９】
具体的には、運転制御部９４は、午前設定時間帯に外気の気温が気温閾値以上であった場合、排気装置７を弱運転状態とし、外気の気温が気温閾値未満であった場合、排気装置７の運転を停止させる。
【００５０】
これにより、排気装置７は、５：００〜１０：００の時間帯に、外気の気温が気温閾値以上であった場合、図６に示すように、第１の排気量で排気を行う。一方、５：００〜１０：００の午前設定時間帯に、外気の気温が気温閾値未満であった場合、排気装置７は、図７に示すように、排気動作を停止する。
【００５１】
このように、第２の運転モードでは、午前設定時間帯に、外気の気温が気温閾値未満の場合、排気装置７が排気動作を停止するが、かかる場合、シックハウス症候群の原因物質の拡散量が極微量であるため原因物質が室内３へ流入することは殆どない。
【００５２】
また、運転制御部９４は、日中設定時間帯に第１の運転制御と同様の制御を行う。ここでは、日中設定時間帯における外気の湿度が湿度閾値未満であるため、運転制御部９４は、排気装置７に対して強運転制御を行う。
【００５３】
これにより、排気装置７は、図６および図７に示すように、１０：００〜１５：００の時間帯に第２の排気量で排気を行う。なお、日中設定時間帯に外気の湿度が湿度閾値以上となる場合、運転制御部９４は、第１の運転制御と同様に、排気装置７に対する強運転制御を弱運転制御に切り替える。
【００５４】
そして、運転制御部９４は、日中（例えば、日中設定時間帯）の気温（以下、「日中気温」と記載する）が気温閾値以上であった場合、日中設定時間帯以後、夜間設定時間帯の開始時刻まで排気装置７に対して弱運転制御を行う。その後、運転制御部９４は、夜間設定時間帯の間、排気装置７の運転を停止させる。
【００５５】
これにより、排気装置７は、図６に示すように、１５：００〜２２：００の時間帯に第１の排気量で排気を行った後、２２：００〜５：００の時間帯に排気動作を停止する。このように、排気装置７は、夜間設定時間帯に排気動作を停止するが、夜間設定時間帯には床下６内部の気温が気温閾値未満まで低下する可能性が高いため、床下６でシックハウス症候群の原因物質が拡散される可能性は非常に低い。したがって、床下６内部の雰囲気が室内３へ流入しても、シックハウス症候群の原因物質が床下６から室内３へ流入することを抑制することができる。
【００５６】
一方、運転制御部９４は、日中気温が気温閾値未満であった場合、日中設定時間帯以後、翌朝の午前設定時間帯の開始時刻まで、排気装置７の運転を停止させる。これにより、排気装置７は、図７に示すように、１５：００〜５：００まで排気動作を停止する。
【００５７】
このように、排気装置７は、１５：００〜５：００まで排気動作を停止するが、当日の１５：００までの時点で外気の気温が気温閾値未満の場合、以後、翌朝の午前設定時間帯の開始時刻までの間に床下６内部の気温が気温閾値以上となる可能性は低い。したがって、排気装置７が排気動作を停止して、床下６の内部雰囲気が室内３へ流入しても、シックハウス症候群の原因物質が床下６から室内３へ流入することを抑制することができる。
【００５８】
このように、第２の運転モードでは、日中設定時間帯を除き、外気の気温が気温閾値未満の場合や気温閾値未満になることが予測される場合のように、床下６でシックハウス症候群の原因物質が拡散され難い時間帯に、排気装置７の排気動作を停止させる。したがって、シックハウス症候群の原因物質が床下６から室内３へ流入することを抑制しつつ、排気装置７が消費する電力の節電を実現することができる。
【００５９】
また、第２の運転モードでは、日中設定時間帯という１日のうちの限られた時間帯に検出された外気の気温に基づいて、運転制御部９４が日中設定時間帯の終了時刻から翌日の午前設定時間帯の開始時刻までに行う排気装置７の運転制御の内容を決定する。したがって、１日を通してリアルタイムに外気の気温を検出して排気装置７の運転制御を行う場合に比べて運転制御部９４が実行する処理を簡略化することができる。
【００６０】
さらに、第２の運転モードでは、日中気温に関わらず、運転制御部９４が夜間設定時間帯に排気装置７による排気動作を停止させるため、夜間に節電を実現することができるという効果に加え、夜間の騒音問題を解消することができるという効果も奏する。
【００６１】
次に、図８を参照し、第２の運転モードで運転制御部９４が実行する処理について説明する。図８は、実施形態に係る第２の運転モードで運転制御部９４が実行する処理を示すフローチャートである。運転制御部９４は、第２の運転モードが設定される場合、電源がＯＮされてからＯＦＦされるまで、図８に示す処理を所定の周期で繰り返し実行する。
【００６２】
具体的は、運転制御部９４は、図８に示すように、まず、現在、午前設定時間帯であるか否かの判定を行う（ステップＳ２０１）。そして、運転制御部９４は、午前設定時間帯であると判定した場合（ステップＳ２０１，Ｙｅｓ）、外気の気温が気温閾値以上か否かを判定する（ステップＳ２０２）。
【００６３】
そして、運転制御部９４は、気温が気温閾値以上であると判定した場合（ステップＳ２０２，Ｙｅｓ）、排気装置７に対して弱運転制御を行い（ステップＳ２０３）、処理を終了する。一方、気温が気温閾値未満であると判定した場合（ステップＳ２０２，Ｎｏ）、運転制御部９４は、排気装置７に対して運転停止制御を行い（ステップＳ２０４）、処理を終了する。
【００６４】
また、運転制御部９４は、現在、午前設定時間帯でないと判定した場合（ステップＳ２０１，Ｎｏ）、現在、日中設定時間帯か否かを判定する（ステップＳ２０５）。そして、運転制御部９４は、日中設定時間帯であると判定した場合（ステップＳ２０５，Ｙｅｓ）、外気の湿度が湿度閾値以上か否かを判定する（ステップＳ２０６）。
【００６５】
ここで、運転制御部９４は、湿度が湿度閾値以上であると判定した場合（ステップＳ２０６，Ｙｅｓ）、排気装置７に対して弱運転制御を行い（ステップＳ２０３）、処理を終了する。一方、湿度が湿度閾値未満であると判定した場合（ステップＳ２０６，Ｎｏ）、運転制御部９４は、排気装置７に対して強運転制御を行い（ステップＳ２０７）、処理を終了する。
【００６６】
また、運転制御部９４は、現在、日中設定時間帯でないと判定した場合（ステップＳ２０５，Ｎｏ）、当日の日中気温が気温閾値以上であったか否かを判定する（ステップＳ２０８）。そして、運転制御部９４は、日中気温が気温閾値未満であったと判定した場合（ステップＳ２０８，Ｎｏ）、翌朝の午前設定時間帯以前まで排気装置７に対して、運転停止制御を行い（ステップＳ２０９）、処理を終了する。
【００６７】
一方、当日の日中気温が気温閾値以上であったと判定した場合（ステップＳ２０８，Ｙｅｓ）、運転制御部９４は、排気装置７に対して、夜間設定時間帯以前まで弱運転制御を行った後、翌朝の午前設定時間帯以前まで運転停止制御を行い（ステップＳ２１０）、その後、処理を終了する。
【００６８】
なお、第２の運転モードにおいても、日中設定時間帯に、外気の湿度が湿度閾値以上から湿度閾値未満になった場合、第１の運転モードと同様、排気装置７の排気量を第１の排気量から第２の排気量へ変更するまでに所定のタイムラグを持たせてもよい。
【００６９】
なお、上述した実施形態は一例であり、種々の変形が可能である。以下、図９および図１０を参照して、実施形態の変形例について説明する。図９は、実施形態の変形例１に係る第１の排気量の推移を示す説明図であり、図１０は、実施形態の変形例２に係る第１の排気量の推移を示す説明図である。
【００７０】
上述した実施形態では、第１の排気量が１年間を通して同じ場合について説明したが、運転制御部９４は、季節に応じて第１の排気量を変更する構成であってもよい。かかる構成とした変形例１に係る運転制御部９４は、図９に示すように、第１の排気量を春および秋に「中」とし、夏に「大」とし、冬に「小」とする。
【００７１】
ここで、第１の排気量「小」は、例えば、床下６の内部雰囲気を毎時５回換気可能な排気量である。また、第１の排気量「中」は、床下６の内部雰囲気を毎時６回換気可能な排気量である。また、第１の排気量「大」は、床下６の内部雰囲気を毎時７回換気可能な排気量である。
【００７２】
なお、かかる構成とする場合、計時部９１から運転制御部９４へ現在時刻に加え、月日情報を出力させ、運転制御部９４の動作プログラムに、月日情報から季節を判定するプログラムを付加する。
【００７３】
かかる構成によれば、１年のうちで比較的気温が低く、シックハウス症候群の原因物質の拡散量が比較的少ない冬に、シックハウス症候群の原因物質が床下６から室内３へ流入することを抑制しつつ、排気装置７の消費電力をさらに低減することができる。また、夏に、シックハウス症候群の原因物質の拡散量が増大しても、シックハウス症候群の原因物質が床下６から室内３へ流入することを適切に抑制することができる。
【００７４】
また、建材等から拡散されるシックハウス症候群の原因物質の拡散量は、新築の時点が最も多く、年を重ねる毎に減少し、新築から５年程度が経過すると極微量となる。このため、運転制御部９４は、予め設定される期間が経過する毎に、第１の排気量を段階的に低減させるように構成されてもよい。
【００７５】
かかる構成とした変形例２に係る運転制御部９４は、例えば、図１０に示すように、１年が経過する毎に、第１の排気量を毎年段階的に低減し、５年が経過した時点で「０」にする。かかる構成とする場合、計時部９１から運転制御部９４へ現在時刻に加え、年月日情報を出力させ、運転制御部９４の動作プログラムに、年月日情報から排気装置７の稼働年数を判定するプログラムを付加する。
【００７６】
かかる構成によれば、シックハウス症候群の原因物質が床下６から室内３へ流入することを抑制しつつ、排気装置７の年間消費電力を年々低減することができるので、床下換気システム１のランニングコストをさらに低減することができる。
【００７７】
また、比較的気密性の高い家屋２では、排気装置７による排気動作を停止させても、直後にシックハウス症候群の原因物質が床下６から室内３へ流入する可能性は低い。このため、運転制御部９４は、排気装置７に対して弱運転制御を行う時間帯に、排気装置７による排気を間欠的に行わせる構成であってもよい。
【００７８】
かかる構成とする場合、運転制御部９４は、弱運転制御を行う時間帯に、排気装置７によって第１の排気量で排気させた後、第１の排気量で排気させた継続時間よりも短い時間だけ、排気装置７の排気動作を停止させる制御を繰り返す。
【００７９】
例えば、運転制御部９４は、排気装置７によって２０分間継続して第１の排気量で排気を行わせた後、１０分間排気を停止させる制御を繰り返す弱運転制御を行う。これにより、排気装置７の消費電力をさらに低減しつつ、シックハウス症候群の原因物質が床下６から室内３へ流入することを抑制することができる。
【００８０】
また、運転制御部９４は、排気装置７に対して強運転制御を行う時間帯に、排気装置７による第２の排気量での排気を間欠的に行わせる構成であってもよい。かかる構成とする場合、運転制御部９４は、排気装置７によって第２の排気量で排気させた後、第２の排気量で排気させた継続時間よりも短い時間だけ、排気装置７の排気動作を停止させる制御を繰り返す。
【００８１】
例えば、運転制御部９４は、排気装置７によって２０分間継続して第２の排気量で排気を行わせた後、１０分間排気を停止させる制御を繰り返す強運転制御を行う。かかる構成とした場合、第２の排気量という比較的大きな排気量によって床下６内部の雰囲気が屋外へ排気され、床下６が屋外に対して負圧となる。
【００８２】
これにより、排気装置７による排気を停止させた後も、ある程度の時間、負圧の作用によって外気が床下６へ取り込まれるので、強運転制御時に排気装置７による排気を間欠的に行わせても、効果的に床下６内の湿度を低下させることができる。
【００８３】
また、運転制御部９４は、排気装置７に対して停止制御を行う期間に、排気装置７による排気の停止を間欠的に行わせる構成であってもよい。かかる構成によっても、排気装置７の消費電力を低減しつつ、シックハウス症候群の原因物質が床下６から室内３へ流入することを抑制することができる。
【００８４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８５】
１  床下換気システム
２  家屋
３  室内
４  ２４時間換気装置
６  床下
７  排気装置
８  センサ
８１  気温検出器
８２  湿度検出器
９  制御装置
９１  計時部
９２  設定入力部
９３  設定記憶部
９４  運転制御部
【図１】
2014202396.tif 000003
【図２】
2014202396.tif 000004
【図３】
2014202396.tif 000005
【図４】
2014202396.tif 000006
【図５】
2014202396.tif 000007
【図６】
2014202396.tif 000008
【図７】
2014202396.tif 000009
【図８】
2014202396.tif 000010
【図９】
2014202396.tif 000011
【図１０】
2014202396.tif 000012